(57)【要約】【課題】早朝時における高血糖の原因を正確に解析することが可能な血糖値測定装置を提供する。【解決手段】血糖値測定装置１０は、本体ケース１０ａ、センサ装着部１２、測定部１３、表示部１６、制御部１１を備えている。センサ装着部１２は、本体ケース１０ａに設けられており、血糖値測定用のセンサ１が装着される。測定部１３は、センサ装着部１２に接続されており、センサ１に付与された血液を用いて血糖値の測定を行う。表示部１６は、測定部１３に接続されており、測定部１３において測定された血糖値を表示させる。制御部１１は、測定部１３に接続されており、被測定者の起床時に測定部１３において測定された血糖値が適正範囲よりも高い場合、就寝中における血糖値の測定を実施する予定日および第１時刻の予約を行う予約入力画面を、表示部１６に表示させる。【選択図】図２
2018141731.tif 000002
【特許請求の範囲】
【請求項１】
本体ケースと、
前記本体ケースに設けられており、血糖値測定用のセンサが装着されるセンサ装着部と、
前記センサ装着部に接続されており、前記センサに付与された血液を用いて血糖値の測定を行う測定部と、
前記測定部に接続されており、前記測定部において測定された血糖値を表示させる第１表示部と、
前記測定部に接続されており、被測定者の起床時に前記測定部において測定された血糖値が適正範囲よりも高い場合、就寝中における血糖値の測定を実施する予定日および第１時刻の予約を行う予約入力画面を、前記第１表示部に表示させる第１制御部と、
を備えている血糖値測定装置。
【請求項２】
前記第１制御部は、前記第１時刻と、就寝前の第２時刻と、起床時の第３時刻とを入力するための前記予約入力画面を、前記第１表示部に表示させる、
請求項１に記載の血糖値測定装置。
【請求項３】
前記第１時刻は、前記第２時刻と前記第３時刻の間の時間に設定される、
請求項２に記載の血糖値測定装置。
【請求項４】
前記第１制御部は、前記第１時刻、前記第２時刻、前記第３時刻を表示する前記予約入力画面において、前記第１時刻の入力箇所を強調するように、前記第１表示部に表示させる、
請求項２または３に記載の血糖値測定装置。
【請求項５】
前記予約入力画面において入力された日時に実施された測定結果に基づいて、測定結果の解析を行うとともに、前記解析の結果に基づいて、前記起床時に前記測定部において測定された血糖値が前記適正範囲よりも高かった原因を判定する第１判定部を、さらに備えている、
請求項１から４のいずれか１項に記載の血糖値測定装置。
【請求項６】
前記第１制御部は、特定の被測定者に対する前記第１判定部による判定結果の情報を蓄積し、前記判定結果の傾向を前記第１表示部に表示させる、
請求項５に記載の血糖値測定装置。
【請求項７】
前記第１制御部は、被測定者の食事から前記第２時刻までに２時間を経過していること、および前記予約入力画面に入力された日時に測定された血糖値が所定の範囲内であること、の少なくとも１つを満たさない場合には、別の予定日の予約を促すために、前記予約入力画面を前記第１表示部に表示させる、
請求項２から４のいずれか１項に記載の血糖値測定装置。
【請求項８】
前記第１制御部は、前記起床時に測定された血糖値が前記適正範囲よりも高かった場合、前回、前記適正範囲よりも高かった日から基準期間が経過しているか否かを判定する、
請求項１から７のいずれか１項に記載の血糖値測定装置。
【請求項９】
前記第１制御部は、前記予約入力画面において入力された前記予定日において、予約した前記予定日であることを示す情報を、前記第１表示部に表示させる、
請求項１から８のいずれか１項に記載の血糖値測定装置。
【請求項１０】
前記第１制御部は、前記第１時刻になると、前記第１表示部の表示画面を点灯または点滅させる、
請求項１から９のいずれか１項に記載の血糖値測定装置。
【請求項１１】
前記第１時刻になると報知音および振動の少なくとも一方を発生させる第１報知部を、さらに備えている、
請求項１から１０のいずれか１項に記載の血糖値測定装置。
【請求項１２】
前記第１制御部は、前記第１時刻における前記測定が終了すると、被測定者の就寝を促す文字情報を前記第１表示部に表示させる、
請求項１から１１のいずれか１項に記載の血糖値測定装置。
【請求項１３】
音声情報を出力する第１出力部を、さらに備えており、
前記第１制御部は、前記第１時刻における前記測定が終了すると、被測定者の就寝を促す音声情報を前記第１出力部から出力させる、
請求項１から１１のいずれか１項に記載の血糖値測定装置。
【請求項１４】
前記第１制御部は、前記第１時刻に測定された血糖値が前記適正範囲よりも低い測定結果であった場合には、測定者に低血糖に対する対処行動を促す、
請求項１から１３のいずれか１項に記載の血糖値測定装置。
【請求項１５】
前記第１制御部は、前記第１時刻に測定された血糖値が前記適正範囲よりも低い測定結果であった場合には、その後の前記測定を実施しない、
請求項１４に記載の血糖値測定装置。
【請求項１６】
前記第１制御部は、前記第１時刻における前記測定が実施されなかった場合には、その後の前記測定を実施しない、
請求項１から１５のいずれか１項に記載の血糖値測定装置。
【請求項１７】
前記測定部における測定結果を保存する第１記憶部を、さらに備えている、
請求項１から１６のいずれか１項に記載の血糖値測定装置。
【請求項１８】
前記第１記憶部は、前記第１時刻と、就寝前の第２時刻と、起床時の第３時刻とにおけるそれぞれの測定結果を関連付けて保存する、
請求項１７に記載の血糖値測定装置。
【請求項１９】
外部機器との間で通信を行う第１通信部を、さらに備えている、
請求項１から１８のいずれか１項に記載の血糖値測定装置。
【発明の詳細な説明】
【技術分野】
【０００１】
本発明は、血糖値の測定を行う血糖値測定装置に関する。
【背景技術】
【０００２】
糖尿病患者は、高血糖の状態が続くと合併症を引き起こす等、健康に問題が生じてしまう。このため、日々の血糖値のコントロールを行うために、インスリンの投与スケジュールを適切に管理する必要がある。
【０００３】
しかし、インスリンの投与は、日中の活動時であれば対処可能であるが、就寝中には対処することが困難である。よって、就寝中に生じた様々な要因によって、糖尿病患者が起床した早朝時に高血糖になる場合がある。
【０００４】
ここで、早朝時高血糖の原因としては、インスリン不足、暁現象、ソモギー効果と呼ばれる特有の現象がある。そして、これらの原因ごとに対処すべき方法が異なっている。
具体的には、早朝時高血糖の原因がインスリン不足である場合には、就寝中にインスリンの量が不足していき早朝時に高血糖になっていることから、就寝前に投与するインスリンの量を増やすことで解消されると想定される。
【０００５】
また、暁現象が原因である場合には、早朝に分泌量が増える成長ホルモンとコルチゾールに起因して早朝時に高血糖になっていることから、就寝前に投与するインスリンの量を増やすことで解消されると想定される。
【０００６】
一方、ソモギー効果が原因である場合には、就寝中における低血糖の反動として早朝時に高血糖になっていることから、インスリン不足および暁現象とは反対に、就寝前に投与するインスリンの量を減らすことで解消されると想定される。
【０００７】
このため、各原因によって対処すべき内容が相反する場合があるため、早朝時における高血糖の原因を正確に見極める必要がある。
例えば、特許文献１には、例えば、糖尿病患者に対して適切なタイミングで血糖値測定を実施させるために、管理に必要な測定パターンを作成し、その測定パターンに応じた時間にリマインダを発生させ、ユーザに測定を促す成分測定生体情報測定装置、方法およびプログラムについて開示されている。
【先行技術文献】
【特許文献】
【０００８】
【特許文献１】特開２０１４−２００４０５号公報
【発明の概要】
【発明が解決しようとする課題】
【０００９】
しかしながら、上記従来の生体情報測定装置では、以下に示すような問題点を有している。
すなわち、上記公報に開示された成分測定生体情報測定装置では、ユーザに適切なタイミングで適切な測定を実施させるためのスケジュール管理が主な目的であるため、早朝時高血糖の原因解析については何ら考慮されていない。
【００１０】
本発明の課題は、早朝時における高血糖の原因を正確に解析することが可能な血糖値測定装置を提供することにある。
【課題を解決するための手段】
【００１１】
第１の発明に係る血糖値測定装置は、本体ケースと、センサ装着部と、測定部と、第１表示部と、第１制御部と、を備えている。センサ装着部は、本体ケースに設けられており、血糖値測定用のセンサが装着される。測定部は、センサ装着部に接続されており、センサに付与された血液を用いて血糖値の測定を行う。第１表示部は、測定部に接続されており、測定部において測定された血糖値を表示させる。第１制御部は、測定部に接続されており、被測定者の起床時に測定部において測定された血糖値が適正範囲よりも高い場合、就寝中における血糖値の測定を実施する予定日および第１時刻の予約を行う予約入力画面を、第１表示部に表示させる。
【００１２】
ここでは、被測定者の起床時における血糖値の測定結果が適正範囲よりも高い、いわゆる早朝時高血糖であった場合に、その原因を解析するために、被測定者の就寝中における血糖値の測定を実施する日時の予約を行う予約画面を第１表示部に表示させる。
【００１３】
ここで、被測定者の起床時とは、例えば、早朝（午前５時〜７時）を意味している。そして、血糖値の適正範囲としては、例えば、就寝前（第２時刻）は、７０ｍｇ／ｄｌ〜２００ｍｇ／ｄｌ、就寝中（第１時刻）および起床時（第３時刻）は、７０ｍｇ／ｄｌ〜１２６ｍｇ／ｄｌに設定されていてもよい。
【００１４】
また、起床時に測定された血糖値が適正範囲よりも高くなる早朝時高血糖の原因としては、例えば、被測定者に投与されたインスリン量の不足、暁現象、ソモギー効果等が含まれる。
【００１５】
また、早朝時高血糖の原因を解析するために第１表示部に表示させる予約入力画面には、被測定者の就寝中における血糖値を測定する日付けおよび第１時刻が設定される。
インスリン量の不足が原因の場合、就寝前に投与されたインスリン量が不足しているため、就寝中の血糖値が就寝前よりも高くなる。
【００１６】
暁現象が原因の場合、明け方にかけて成長ホルモンとコルチゾールの分泌が増加することによって早朝に血糖値が上昇しているため、就寝中の血糖値は就寝前と略変化しない。
ソモギー効果が原因の場合、就寝中に適正範囲よりも低い血糖値になった回復作用（反動）として血糖値が上昇しているため、就寝中の血糖値が適正範囲よりも低くなる。
【００１７】
このため、早朝時高血糖の原因がいずれの場合でも、被測定者の就寝中における血糖値の変化を検出するとともに、その原因に応じて適切な対処方法を採ることが重要である。
本血糖値測定装置によれば、早朝時高血糖の原因解析に重要な就寝中の血糖値の測定を行うための予約入力画面を第１表示部に表示させることで、被測定者は予約入力画面に従って原因解析のための就寝中における血糖値の測定の予約を行うことができる。
この結果、早朝時における高血糖の原因を正確に解析することができる。
【００１８】
第２の発明に係る血糖値測定装置は、第１の発明に係る血糖値測定装置であって、第１制御部は、第１時刻と、就寝前の第２時刻と、起床時の第３時刻とを入力するための予約入力画面を、第１表示部に表示させる。
【００１９】
ここでは、被測定者の就寝中の第１時刻に加えて、就寝前の第２時刻、起床時の第３時刻についても入力させる予約入力画面を、第１表示部に表示させる。
これにより、予約入力画面において入力された予定日の就寝前（第２時刻）、就寝中（第１時刻）、および起床時（第３時刻）に被測定者の血糖値を測定し、就寝前、就寝中、起床時のそれぞれの血糖値のデータを取得することができる。
この結果、早朝時高血糖の原因の解析をより正確に実施することができる。
【００２０】
第３の発明に係る血糖値測定装置は、第２の発明に係る血糖値測定装置であって、第１時刻は、第２時刻と第３時刻の間の時間に設定される。
ここでは、就寝中の第１時刻は、就寝前の第２時刻と起床時の第３時刻との間に設定される。
【００２１】
これにより、予約入力画面において、予約した日付けに、就寝前、就寝中、および起床時の連続した３回の血糖値の測定を実施することができる。
この結果、早朝時高血糖の原因の解析をより正確に実施することができる。
【００２２】
第４の発明に係る血糖値測定装置は、第２または第３の発明に係る血糖値測定装置であって、第１制御部は、第１時刻、第２時刻、第３時刻を表示する予約入力画面において、第１時刻の入力箇所を強調するように、第１表示部に表示させる。
【００２３】
ここでは、予約入力画面において予定日の就寝前（第２時刻）、就寝中（第１時刻）、および起床時（第３時刻）を入力する際に、就寝中の第１時刻の入力箇所を強調して表示させる。
【００２４】
ここで、第１時刻の入力箇所を強調して表示させる方法としては、例えば、太字で表示する、赤字等の目立つ色に変えて表示する、文字の大きさを大きくして表示する、点滅表示する等が含まれる。
これにより、被測定者が就寝中に血糖値を測定することになる第１時刻の入力を目立つように表示させることができる。
【００２５】
第５の発明に係る血糖値測定装置は、第１から第４の発明のいずれか１つに係る血糖値測定装置であって、予約入力画面において入力された日時に実施された測定結果に基づいて、測定結果の解析を行うとともに、解析の結果に基づいて、起床時に測定部において測定された血糖値が適正範囲よりも高かった原因を判定する第１判定部を、さらに備えている。
【００２６】
ここでは、予約入力画面に入力された日付け、時刻に実施された血糖値の測定結果に基づいて原因解析を実施するとともに、解析結果に基づいて、早朝時高血糖の原因を判定する。
【００２７】
ここで、早朝時高血糖の原因としては、上述したインスリン不足、暁現象、ソモギー効果等が含まれる。
これにより、早朝時高血糖の原因を判定し、その判定結果を特定することで、被測定者等に適切な対処方法を採るように促すことができる。
【００２８】
第６の発明に係る血糖値測定装置は、第５の発明に係る血糖値測定装置であって、第１制御部は、特定の被測定者に対する第１判定部による判定結果の情報を蓄積し、判定結果の傾向を第１表示部に表示させる。
【００２９】
ここでは、予約入力画面に入力された日付け、時刻に実施された血糖値の測定結果に基づいて解析された原因の判定結果を蓄積するとともに、その傾向を第１表示部に表示させる。
これにより、第１表示部に表示された原因判定の傾向に基づいて、被測定者等に適切な対処方法を採るように促すことができる。
【００３０】
第７の発明に係る血糖値測定装置は、第２から第４の発明のいずれか１つに係る血糖値測定装置であって、第１制御部は、被測定者の食事から第２時刻までに２時間を経過していること、および予約入力画面に入力された日時に測定された血糖値が所定の範囲内であること、の少なくとも１つを満たさない場合には、別の予定日の予約を促すために、予約入力画面を第１表示部に表示させる。
【００３１】
ここでは、予約入力画面に入力された解析用の測定を実施する日付けに予約した通りの血糖値の測定を実施するための条件を規定する。
具体的な条件としては、被測定者の食事から就寝前（第２時刻）の測定までに２時間を経過していること、および予約入力画面に入力された日時に測定された血糖値が所定の範囲内であること、の少なくとも１つである。
【００３２】
これにより、例えば、被測定者の食事から測定を行う第２時刻までに２時間を経過していない場合には、適切な血糖値の測定が実施できない可能性が高いため、その日付けの解析用の血糖値の測定を中止して、別の日の予約入力を促す。
【００３３】
同様に、予約入力画面に入力された日時に測定された血糖値が所定の範囲外となった場合には、その後に測定される就寝中（第１時刻）および起床時（第３時刻）における測定結果にも影響を及ぼす可能性が高いため、その日付けの解析用の血糖値の測定を中止して別の日の予約入力を促す。
【００３４】
これにより、早朝時高血糖の原因の解析のための血糖値の測定を、適切な条件の下で実施するとともに、所定の条件を満たさない場合には、解析用の血糖値の測定を中止して新たな予約入力を促すことができる。
【００３５】
第８の発明に係る血糖値測定装置は、第１から第７の発明のいずれか１つに係る血糖値測定装置であって、第１制御部は、起床時に測定された血糖値が適正範囲よりも高かった場合、前回、適正範囲よりも高かった日から基準期間が経過しているか否かを判定する。
【００３６】
ここでは、起床時に測定された血糖値が適正範囲よりも高い、いわゆる早朝時高血糖であった場合、前回の早朝時高血糖と判定された日から基準期間が経過しているか否かを判定する。
【００３７】
ここで、基準期間とは、例えば、１ヶ月等に設定されていればよい。
これにより、起床時の測定の結果、早朝時高血糖の疑いがある場合には、前回、適正範囲よりも高血糖と判定された日から１ヶ月以上経過している場合に、早朝時高血糖と判定することができる。
【００３８】
第９の発明に係る血糖値測定装置は、第１から第８の発明のいずれか１つに係る血糖値測定装置であって、第１制御部は、予約入力画面において入力された予定日において、予約した予定日であることを示す情報を、第１表示部に表示させる。
【００３９】
ここでは、予約入力画面に入力された解析用の測定を実施する日に、解析用の測定を行う予定日であることを示す表示を行う。
これにより、被測定者あるいは測定者は、解析用の測定を実施する予定日であることを認識することができる。よって、被測定者等は、解析用の測定を忘れずに実施することができる。
【００４０】
第１０の発明に係る血糖値測定装置は、第１から第９の発明のいずれか１つに係る血糖値測定装置であって、第１制御部は、第１時刻になると、第１表示部の表示画面を点灯または点滅させる。
【００４１】
ここでは、予約入力画面に入力された就寝中（第１時刻）における血糖値測定を実施するために、第１表示部の表示画面を点灯あるいは点滅させる。
これにより、就寝中の測定を行う第１時刻になると、表示画面を明るく点灯あるいは点滅させることで、暗い室内で就寝中の測定者（被測定者）に対して血糖値測定装置がどこにあるのか、すぐに認識させるとともに、点灯した表示画面を通じて就寝中の血糖値の測定を実施することができる。
【００４２】
第１１の発明に係る血糖値測定装置は、第１から第１０の発明のいずれか１つに係る血糖値測定装置であって、第１時刻になると報知音および振動の少なくとも一方を発生させる第１報知部を、さらに備えている。
【００４３】
ここでは、予約入力画面に入力された就寝中（第１時刻）における血糖値測定を実施するために、第１時刻になると、報知音または振動によって測定者（被測定者）に報知する。
【００４４】
これにより、就寝中の測定を行う第１時刻になると、報知音や振動等で知らせることで、暗い室内で就寝中の測定者（被測定者）を起こすとともに、血糖値測定装置がどこにあるのか、すぐに認識させることができる。
【００４５】
第１２の発明に係る血糖値測定装置は、第１から第１１の発明のいずれか１つに係る血糖値測定装置であって、第１制御部は、第１時刻における測定が終了すると、被測定者の就寝を促す文字情報を第１表示部に表示させる。
【００４６】
ここでは、予約した日に就寝中（第１時刻）における血糖値の測定が終了すると、被測定者の就寝を促すメッセージ等の文字情報を表示画面に表示させる。
これにより、例えば、起床時（第３時刻）における測定を適切に実施するために、就寝中の測定が終了した被測定者に対して、文字情報によって再就寝を促すことができる。
【００４７】
第１３の発明に係る血糖値測定装置は、第１から第１１の発明のいずれか１つに係る血糖値測定装置であって、音声情報を出力する第１出力部を、さらに備えている。第１制御部は、第１時刻における測定が終了すると、被測定者の就寝を促す音声情報を第１出力部から出力させる。
【００４８】
ここでは、予約した日に就寝中（第１時刻）における血糖値の測定が終了すると、被測定者の就寝を促すメッセージ等の音声情報を出力する。
これにより、例えば、起床時（第３時刻）における測定を適切に実施するために、就寝中の測定が終了した被測定者に対して、音声メッセージによって再就寝を促すことができる。
【００４９】
第１４の発明に係る血糖値測定装置は、第１から第１３の発明のいずれか１つに係る血糖値測定装置であって、第１制御部は、第１時刻に測定された血糖値が適正範囲よりも低い測定結果であった場合には、測定者に低血糖に対する対処行動を促す。
【００５０】
ここでは、予約した日に就寝中（第１時刻）における血糖値の測定の結果、適正範囲よりも低い低血糖状態であった場合には、すぐに低血糖に対する対処行動を促す。
ここで、対処行動を促す手段としては、表示画面に文字情報として表示させる、音声情報として出力する等が考えられる。
これにより、就寝中（第１時刻）において低血糖状態であった場合には、被測定者に対して適切な処置を講ずることができる。
【００５１】
第１５の発明に係る血糖値測定装置は、第１４の発明に係る血糖値測定装置であって、第１制御部は、第１時刻に測定された血糖値が適正範囲よりも低い測定結果であった場合には、その後の測定を実施しない。
【００５２】
ここでは、予約した日に就寝中（第１時刻）における血糖値の測定の結果、適正範囲よりも低い低血糖状態であった場合には、低血糖に対する対処を優先させ、その後の起床時（第３時刻）における測定の実施を中止する。
これにより、就寝中（第１時刻）において低血糖状態であった場合には、その後の解析用の測定は不要と判断して、中止させることができる。
【００５３】
第１６の発明に係る血糖値測定装置は、第１から第１５の発明のいずれか１つに係る血糖値測定装置であって、第１制御部は、第１時刻における測定が実施されなかった場合には、その後の測定を実施しない。
【００５４】
ここでは、予約した日に就寝中（第１時刻）における血糖値の測定が実施されなかった場合には、適切な解析を実施することができないため、その後の起床時（第３時刻）における測定を中止させる。
これにより、就寝中（第１時刻）において測定を実施しなかった場合には、その後の測定の予定をキャンセルして、新たな予約を促す等の措置を講ずることができる。
【００５５】
第１７の発明に係る血糖値測定装置は、第１から第１６の発明のいずれか１つに係る血糖値測定装置であって、測定部における測定結果を保存する第１記憶部を、さらに備えている。
ここでは、測定部における血糖値の測定結果を保存する第１記憶部を、血糖値測定装置内に設けている。
【００５６】
ここで、測定部における測定結果には、定期的に実施される血糖値の測定結果に加えて、上述した早朝時高血糖の原因解析用の測定結果も含まれる。
これにより、装置内に保存された測定結果を用いて、早朝時高血糖であるか否かの判定、あるいはその原因解析を実施することができる。
【００５７】
第１８の発明に係る血糖値測定装置は、第１７の発明に係る血糖値測定装置であって、第１記憶部は、第１時刻と、就寝前の第２時刻と、起床時の第３時刻とにおけるそれぞれの測定結果を関連付けて保存する。
【００５８】
ここでは、第１時刻（就寝中）、第２時刻（就寝前）および第３時刻（起床時）と、それぞれの時刻における測定結果とを関連付けて、第１記憶部に記憶させる。
ここで、第１〜第３時刻における測定結果には、予約入力画面に入力された厳密な第１〜第３時刻に限定されるものではなく、例えば、第１〜第３時刻の±１時間の範囲内で実施された測定結果が含まれる。
【００５９】
これにより、早朝時高血糖のより正確な原因解析に必要な第１〜第３時刻における測定結果と各時刻とを、関連付けて保存することで、解析時等にすぐに取り出すことができる。
【００６０】
第１９の発明に係る血糖値測定装置は、第１から第１８の発明のいずれか１つに係る血糖値測定装置であって、外部機器との間で通信を行う第１通信部を、さらに備えている。
ここでは、測定部において測定された測定データ等を、外部機器との間で通信する通信機能を血糖値測定装置に設けている。
【００６１】
ここで、外部機器としては、例えば、スマートフォン、タブレット端末等の携帯端末や、ＰＣ（Personal Computer）、データを保存するサーバ等が含まれる。
これにより、携帯端末等の外部機器と通信を行うことで、外部機器側でも測定データの保存、解析、判定の処理等を実施することができる。
【発明の効果】
【００６２】
本発明に係る血糖値測定装置によれば、早朝時における高血糖の原因を正確に解析することができる。
【図面の簡単な説明】
【００６３】
【図１】本発明の一実施形態に係る血糖値測定装置の構成を示す斜視図。
【図２】図１の血糖値測定装置の制御ブロック図。
【図３】早朝時における高血糖の原因ごとの就寝前、就寝中、起床時における血糖値の変動を示すグラフ。
【図４】図１の血糖値測定装置における高血糖の検出から解析の予約までの流れを示すフローチャート。
【図５】（ａ）〜（ｆ）は、図１の血糖値測定装置の表示部に表示される高血糖の検出から解析の予約までの表示画面を示す図。
【図６】図１の血糖値測定装置において予約された日時に実施される解析処理の流れを示すフローチャート。
【図７】図６のステップＳ３３における解析測定フローの詳細を示すフローチャート。
【図８】（ａ）〜（ｅ）は、図１の血糖値測定装置の表示部において、解析処理が実施される際に表示される表示画面を示す図。
【図９】図５および図６のフローチャートに従って実施された解析処理の結果に基づいて、早朝時高血糖の原因を判定する流れを示すフローチャート。
【図１０】（ａ）〜（ｆ）は、解析処理の結果に基づいて表示される解析結果を示す表示画面を示す図。
【図１１】本発明の他の実施形態に係る血糖値測定システムの構成を示す斜視図。
【図１２】図１１の血糖値測定システムに含まれる血糖値測定装置の制御ブロック図。
【図１３】図１１の血糖値測定システムに含まれる携帯端末の制御ブロック図。
【図１４】本発明のさらに他の実施形態に係る血糖値測定システムに含まれる血糖値測定装置の制御ブロック図。
【発明を実施するための形態】
【００６４】
（実施形態１）
本発明の一実施形態に係る血糖値測定装置１０について、図１から図１０（ｆ）を用いて説明すれば以下の通りである。
【００６５】
（血糖値測定装置１０）
本実施形態に係る血糖値測定装置１０は、病院等の施設や自宅等において用いられ、図１に示すように、糖尿病患者等の被測定者の血液が点着された血糖値測定用センサ１が本体ケース１０ａの端部に設けられたセンサ装着部１２に挿入された状態で、血糖値（血液中のグルコース濃度）を測定する。
【００６６】
また、血糖値測定装置１０は、図２に示すように、制御部（第１制御部）１１、センサ装着部１２、測定部１３、時計１４、コマンド入力部１５、表示部（第１表示部）１６、電池１７、記憶部（第１記憶部）１８、報知部（第１報知部、第１出力部）１９を備えている。
【００６７】
制御部１１は、図２に示すように、測定部１３、時計１４、コマンド入力部１５、表示部（第１表示部）１６、電池１７、記憶部１８、および報知部１９と接続されている。そして、制御部１１は、記憶部１８に保存された各種情報（データ）を読み込んで、測定部１３において測定された血糖値のデータを用いて各種処理を実行する。なお、制御部１１については、後段にて詳述する。
【００６８】
センサ装着部１２は、図１に示す本体ケース１０ａの端面に設けられており、血糖値測定用センサ１が挿入される。そして、センサ装着部１２は、測定部１３に接続されるとともに、血糖値測定用センサ１の電極と電気的に接続される。
【００６９】
測定部１３は、制御部１１およびセンサ装着部１２に接続されており、センサ装着部１２を介して受信した電気信号によって、血液中のグルコース濃度を測定する。
具体的には、血糖値測定用センサ１をセンサ装着部１２に装着した状態で、血糖値測定用センサ１に血液が点着されると、測定部１３において血液中の血糖値を測定する。
【００７０】
時計１４は、制御部１１に接続されており、現在時刻、血糖値の測定が実施された日時、後述する解析日時予約入力画面１６ｇ（図５（ｅ）参照）に入力された解析用の測定が予約された日時等の時刻情報を、制御部１１に送信する。
【００７１】
コマンド入力部１５は、制御部１１に接続されており、図１に示す入力ボタン１０ｂや表示部１６のタッチパネル等を用いて、血糖値の測定、測定結果に基づく解析の予約、解析の実施等の各種コマンドが入力される。
【００７２】
表示部１６は、図１に示すように、本体ケース１０ａの表面に配置されており、ドットマトリクス方式で表示を行う。そして、表示部１６は、図２に示すように、制御部１１に接続されており、測定部１３における測定結果、測定結果に基づく解析結果、現在時刻、解析日時予約入力画面１６ｇ（図５（ｅ）参照）等を表示させる。
【００７３】
電池１７は、制御部１１に接続されており、測定部１３、表示部１６、報知部１９等を駆動させる電源であって、例えば、充電式の二次電池等が使用される。
記憶部１８は、制御部１１に接続されており、測定部１３において測定された血糖値のデータ、測定時の時刻情報、測定結果に基づく解析結果等の情報、各種情報（データ）を保存する。
【００７４】
なお、記憶部１８としては、ＥＥＰＲＯＭ（Electrically Erasable Programmable Read-Only Memory）等の不揮発性メモリを用いることができる。
報知部１９は、制御部１１に接続されており、後述する解析日時予約入力画面１６ｇ（図５（ｅ）参照）を介して入力された就寝前、就寝中、および起床時の時刻（第１〜第３時刻）になると、アラーム音（報知音）および／または振動を発生させる。
【００７５】
（制御部１１）
制御部１１は、ＣＰＵが記憶部１８に保存された情報（データ）を読み込んで、図２に示す機能ブロック（リマインダ管理部１１ａ、測定結果解析部１１ｂ、原因分析判定部１１ｃ）を内部に形成する。
【００７６】
リマインダ管理部１１ａは、後述する解析日時予約入力画面１６ｇ（図５（ｅ）参照）を介して入力された早朝時高血糖の原因解析を行う３つの時刻（就寝前（第２時刻）、就寝中（第１時刻）、起床時（第３時刻））の所定時間時に、解析用の血糖値の測定を実施するように、表示部１６に対してリマインダを送信する。
【００７７】
測定結果解析部１１ｂは、血糖値の測定の結果、測定結果が適正範囲内にあるか否かを解析して、被測定者の高血糖、低血糖の状態を検出する。そして、本実施形態では、早朝時（例えば、午前５時〜７時）に測定された血糖値が、適正範囲よりも高い場合に、いわゆる早朝時高血糖の可能性があるか否かを解析する。
【００７８】
なお、血糖値の異常を判定する際の基準となる適正範囲は、例えば、就寝前（第２時刻）は、７０ｍｇ／ｄｌ〜２００ｍｇ／ｄｌ、就寝中（第１時刻）および起床時（第３時刻）は、７０ｍｇ／ｄｌ〜１２６ｍｇ／ｄｌと、測定時間帯ごとに異なる範囲で設定されていてもよい。
【００７９】
そして、適正範囲に関するデータは、記憶部１８に保存されており、制御部１１が適宜、記憶部１８から適正範囲に関するデータを読み出して測定結果と比較することで、血糖値の異常の有無を判定することができる。
【００８０】
原因分析判定部１１ｃは、測定結果解析部１１ｂにおいて早朝時高血糖のおそれがあると解析された場合において、解析日時予約入力画面１６ｇ（図５（ｅ）参照）を介して入力された予約時刻に実施された血糖値の測定結果に基づいて、早朝時高血糖の原因を分析・判定する。
なお、リマインダ管理部１１ａ、測定結果解析部１１ｂおよび原因分析判定部１１ｃにおける処理については、後段にて詳述する。
【００８１】
＜早朝時高血糖について＞
本実施形態の血糖値測定装置１０は、起床時（午前５時〜７時）における測定の結果、図３に示す早朝時高血糖のおそれがある場合に、後述するフローチャートに従って、その原因分析を行う。
【００８２】
ここで、早朝時高血糖とは、起床時（午前５時〜７時）に測定された血糖値が早朝時の適正範囲（例えば、７０〜１２６ｍｇ／ｄｌ）よりも高い状態をいう。
早朝時高血糖の原因としては、インスリン不足、暁現象、ソモギー効果等が考えられる。
【００８３】
すなわち、インスリン不足とは、就寝前に投与されたインスリン量が充分でなかったため、就寝中に血糖値が上昇していき、起床時（早朝）に測定された血糖値が、早朝時における適正範囲よりも高くなったことを意味している。
【００８４】
よって、早朝時高血糖の原因がインスリン不足である場合には、図３に示すように、就寝前に投与されたインスリン量が不足しているため、就寝前、就寝中、起床時と徐々に血糖値が高くなり、起床時の血糖値が適正範囲よりも高くなる。
【００８５】
また、暁現象とは、深夜３時ごろから明け方にかけて成長ホルモンとコルチゾールの分泌が増加することによって早朝の血糖値が上昇していく現象をいう。
よって、早朝時高血糖の原因が暁現象である場合には、図３に示すように、就寝前の血糖値と就寝中の血糖値とはほとんど変化がなく適正範囲内であるものの、明け方にかけて血糖値が上昇して起床時の血糖値が適正範囲よりも高くなる。
【００８６】
ソモギー効果とは、就寝中に適正範囲よりも低い血糖値になった回復作用（反動）として血糖値が上昇する現象をいう。
よって、早朝時高血糖の原因がソモギー効果である場合には、図３に示すように、就寝前の血糖値が適正範囲内であるが、就寝中の血糖値が適正範囲よりも低い低血糖状態となっており、その反動として、起床時の血糖値が適正範囲よりも高くなる。
【００８７】
これらの３つの要因のいずれかが原因であると分かった場合には、それぞれ対処すべき内容が異なる。
具体的には、インスリン不足が原因と分かった場合には、就寝前に投与されたインスリンの量が充分ではなかったことに起因するため、早朝時高血糖を予防するためには、就寝前のインスリンの投与量を増やせばよい。
【００８８】
また、暁現象が原因と分かった場合には、深夜から明け方にかけての成長ホルモン等の分泌に起因するため、早朝時高血糖を予防するためには、インスリン不足の場合と同様に、就寝前のインスリンの投与量を増やせばよい。
【００８９】
さらに、ソモギー効果が原因と分かった場合には、就寝前に投与されたインスリンの量が多すぎた結果、就寝中の血糖値が適正範囲よりも低くなったことに起因するため、早朝時高血糖を予防するためには、就寝前のインスリンの投与量を減らせばよい。
【００９０】
以上のように、各原因で早朝時高血糖となった被測定者に対して対処すべき内容が異なることから、早朝時高血糖の原因分析を正確に実施することは極めて重要である。特に、就寝中における血糖値の変化は、上記各原因を特定する上で非常に重要な要素となる。
【００９１】
＜早朝時高血糖の判定＞
本実施形態の血糖値測定装置１０では、図４に示すフローチャートに従って、早朝時高血糖の判定を実施する。
【００９２】
すなわち、図４に示すように、ステップＳ１１では、測定結果解析部１１ｂが、測定部１３において測定された血糖値が適正範囲よりも高いか否かを判定する。
このとき、血糖値測定装置１０の表示部１６には、図５（ａ）に示すように、測定結果表示エリア１６ａに測定結果、測定日時表示エリア１６ｂに測定日時に関する情報が表示される。
【００９３】
なお、血糖値測定装置１０の表示部１６には、ユーザインターフェース（ＵＩ）として、図５（ｂ）に示すように、測定日時の予約を行う予約入力画面１６ｃと、入力ボタン１６ｄとが表示される。つまり、表示部１６では、予約入力画面１６ｃの部分をタッチすると、予約時刻の入力画面（解析日時予約入力画面１６ｇ）へ遷移する等、タッチパネル式の表示装置として機能してもよい。
【００９４】
ここで、適正範囲内、あるいは適正範囲より低い場合には、早朝時高血糖の可能性はないと判断し、ステップＳ１６へ進み、解析不要と判定して処理を終了する。
一方、ステップＳ１１において、適正範囲よりも高いと判定された場合には、早朝時高血糖の可能性ありとして、ステップＳ１２へ進む。
【００９５】
次に、ステップＳ１２では、測定結果解析部１１ｂが、時計１４から取得した時刻情報に基づいて、その測定の測定時間が、早朝（例えば、午前５時から７時の間であったか否かを判定する。
【００９６】
ここで、早朝の時間帯ではなかった場合には、早朝時高血糖の可能性はないと判断し、ステップＳ１６へ進み、解析不要と判定して処理を終了する。
一方、ステップＳ１２において、適正範囲よりも高いと判定された測定が早朝の時間帯であった場合には、早朝時高血糖の可能性ありとして、ステップＳ１３へ進む。
【００９７】
次に、ステップＳ１３では、測定結果解析部１１ｂが、早朝の時間帯における高血糖が、その被測定者にとって初めてであるか否かを判定する。
ここで、記憶部１８に保存された測定結果の履歴情報を参照して、早朝の時間帯における高血糖が初めてではないと判定した場合には、ステップＳ１５へ進む。一方、早朝の時間帯における高血糖が初めてと判定した場合には、ステップＳ１４へ進む。
【００９８】
次に、ステップＳ１４では、測定結果解析部１１ｂが早朝時高血糖の疑いがあると判定するとともに、その被測定者にとって１回目の早朝時高血糖であるとする情報を、記憶部１８に保存させるとともに、解析用の測定を予約することなく終了する。
【００９９】
次に、ステップＳ１５では、測定結果解析部１１ｂが、前回の早朝時高血糖と判定されてから１ヶ月以上経過しているか否かを判定する。
ここで、前回の早朝時高血糖と判定されて１ヶ月以上経過していない場合には、解析が必要な早朝時高血糖の可能性が低いと判断して、ステップＳ１６へ進み、解析不要と判定して処理を終了する。
【０１００】
一方、前回の早朝時高血糖と判定されて１ヶ月以上経過していた場合には、前回の解析結果とは異なる原因に起因する早朝時高血糖ではないかと想定されるため、その原因を判定するための解析を実施するために、ステップＳ１７へと進む。
【０１０１】
次に、ステップＳ１７では、以上のステップＳ１１〜１３，１５における判定の結果、早朝時高血糖と判定し、ステップＳ１８へ進む。
次に、ステップＳ１８では、制御部１１が、解析実施の有無を確認するメッセージを表示部１６に表示させる。
【０１０２】
このとき、血糖値測定装置１０の表示部１６には、図５（ｃ）に示すように、解析実施確認画面１６ｅが表示される。
解析実施確認画面１６ｅには、「早朝の測定値が高めです。その原因を解析しますか？」とのメッセージが表示されるとともに、「はい」、「いいえ」の選択ボタン、そして前回解析を実施した日付けが表示される。
【０１０３】
次に、ステップＳ１９では、早朝時高血糖の原因の解析を実施するか否かを確認する。
なお、図５（ｃ）に示す解析実施確認画面１６ｅにおいて、表示されたメッセージに応える形で、「はい」または「いいえ」が選択される。
【０１０４】
ここで、解析を実施する、つまり「はい」が選択された場合には、ステップＳ２０へ進む。一方、解析を実施しない、つまり「いいえ」が選択された場合には、処理を終了する。
【０１０５】
次に、ステップＳ２０では、図５（ｄ）に示す解析実施説明画面１６ｆを表示させて、解析用の測定を行う日に３回の測定を行う予約をするか否かを判定する。
具体的には、図５（ｄ）に示す解析実施説明画面１６ｆでは、「解析のため、就寝中(深夜に一時起床して測定)を含む３回の測定が必要です。就寝中の測定を行うことに同意する場合は、次の画面上で３回の測定日時を設定してください。」とのメッセージとともに、「はい」、「いいえ」の選択ボタンが表示される。
【０１０６】
ここで、解析日の予約をする場合、つまり「はい」が選択された場合には、ステップＳ２１へ進む。一方、解析日の予約をしない場合、つまり「いいえ」が選択された場合には、処理を終了する。
【０１０７】
次に、ステップＳ２１では、図５（ｅ）に示す解析日時予約入力画面１６ｇを表示して、予約の登録を行う。
なお、図５（ｅ）に示す解析日時予約入力画面１６ｇでは、解析を行う日付け（解析開始日）、就寝前（第２時刻）、就寝中（第１時刻）、起床時（第３時刻）の測定時間を入力させるとともに、「決定」、「取り止め」の選択ボタンが表示される。
【０１０８】
ここで、就寝中（第１時刻）として入力される時刻は、就寝前（第２時刻）と起床時（第３時刻）との間の時間が設定される。すなわち、本実施形態では、就寝前（第２時刻）、就寝中（第１時刻）、および起床時（第３時刻）の測定がこの順に連続して実施される。
【０１０９】
これにより、解析日時予約入力画面１６ｇにおいて、解析開始日として「２０１７年１月２０日」、就寝前の測定時刻「２２：４５」、就寝中の測定時刻「３：００」、起床時の測定時刻「６：００」が入力され、「決定」が選択されることで、解析日時予約が完了する。
【０１１０】
なお、解析日時の予約を取り止める場合には、「取り止め」が選択される。
本実施形態の血糖値測定装置１０では、図５（ｅ）に示す解析日時予約入力画面１６ｇにおいて、制御部１１が、「就寝中」およびその時刻を太字にして表示部１６に表示させる。
【０１１１】
これにより、早朝時高血糖の正確な原因解析に重要な就寝中（第１時刻）における測定を、使用者（被測定者、あるいは測定者）に認識させるとともに、就寝中に一度起きて測定を実施しなくてはいけないことも認識させることができる。
【０１１２】
そして、図５（ｅ）に示す解析日時予約入力画面１６ｇにおいて「決定」が選択されると、表示部１６の表示画面には、図５（ｆ）に示す解析日時予約完了画面１６ｈが表示される。
【０１１３】
なお、図５（ｆ）に示す解析日時予約完了画面１６ｈでは、「予約しました」とのメッセージとともに、解析開始日、就寝前、就寝中、起床時の測定時刻がそれぞれ表示されるとともに、解析開始日当日の朝に通知（リマインド）するか否かを選択させる。
【０１１４】
ここで、当日朝の通知（リマインド）を希望する場合には「はい」が選択され、希望しない場合には「いいえ」が選択される。
これにより、入力された解析開始日の朝の所定の時間になると、制御部１１内に形成されるリマインダ管理部１１ａから、表示部１６あるいは報知部１９を介して、通知（リマインダ）が行われる。
【０１１５】
例えば、表示部１６を用いて通知する場合には、解析実施確認画面１６ｉ（図８（ａ）参照）に示すように、「本日は解析予定日です。解析を予定通り行いますか？」とのメッセージと、「はい」、「いいえ」の選択ボタン、最初の測定時刻（就寝前測定時間）が表示される。そして、図８（ａ）に示す解析実施確認画面１６ｉにおいて、「はい」が選択されると、解析用の測定を行う予定日の予約が確定する。
【０１１６】
また、図８（ａ）に示す解析実施確認画面１６ｉを表示した後、図８（ｂ）に示す注意喚起画面１６ｊを表示してもよい。
注意喚起画面１６ｊには、図８（ｂ）に示すように、「解析を正しく行うため、就寝前の測定時間まで、規則正しい生活を心がけて下さい。」とのメッセージと「ＯＫ」ボタンが表示される。
【０１１７】
なお、図５（ｅ）に示す解析日時予約入力画面１６ｇにおいて、解析の実施が２回目以上である場合には、就寝前、就寝中、起床時の測定時刻の入力を省略できるように、前回の解析の際に入力された日時を記憶部１８に保存させておき、デフォルトとして前回解析日の時刻を表示してもよい。
【０１１８】
これにより、就寝前、就寝中、起床時の３回の測定の時刻の入力を変更する場合にのみ、時刻入力を実施して、前回と同じ時刻に実施する場合には、解析日時のみ入力して、そのまま「はい」を選択すればよい。
【０１１９】
＜早朝時高血糖の解析処理＞
続いて、本実施形態の血糖値測定装置１０は、図６に示すフローチャートに従って、早朝時高血糖の解析処理を実施する。
【０１２０】
すなわち、図６に示すように、ステップＳ３１では、制御部１１が、時計１４から取得した現在時刻情報に基づいて、現在の日が、図５（ｅ）に示す解析日時予約入力画面１６ｇを介して入力された解析予定日であるか否かを判定する。
【０１２１】
ここで、解析予定日である場合には、ステップＳ３２に進む。一方、解析予定日ではない場合には、処理を終了する。
次に、ステップＳ３２では、制御部１１が、時計１４から取得した現在時刻情報に基づいて、現在時刻が、解析用の測定を行う予定日の解析予約時間であるか否かを判定する。
【０１２２】
例えば、現在時刻が、最初の測定を行う就寝前（第２時刻）、２つ目の測定を行う就寝中（第１時刻）、３つ目の測定を行う起床時（第３時刻）であるか否かを判定する。
ここで、解析予約時間である場合には、ステップＳ３３へ進む。一方、解析予約時間ではない場合には、ステップＳ３６へ進む。
【０１２３】
次に、ステップＳ３３では、現在時刻が解析用の測定を行う予定日の解析予約時間になっているため、後述する解析測定フロー（図７参照）を実施して、ステップＳ３４へ進む。
【０１２４】
次に、ステップＳ３４では、図５（ｅ）に示す解析日時予約入力画面１６ｇを介して入力された３回の測定が完了したか否かを判定する。
ここで、３回の測定が完了した場合には、ステップＳ３５へ進む。一方、まだ３回の測定が完了していない、つまり、３回の測定のうち、１回あるいは２回の測定が完了していない場合には、解析処理を実施できないため処理を終了する。
【０１２５】
次に、ステップＳ３５では、３回の測定が終了しているため、早朝時高血糖の原因を解析するために、後述する判定フロー（図９参照）を実施する。
次に、ステップＳ３６では、測定者（被測定者）に対して、解析日時について事前通知済みであるか否かを判定する。
【０１２６】
ここで、事前通知済みと判定された場合には、事前通知を実施しているため、処理を終了する。一方、事前通知が実施されていない場合には、ステップＳ３７へ進む。
次に、ステップＳ３７では、予定通り、解析を実施することを確認するために、解析予定を変更するか否かを判定する。具体的には、「本日は解析予定日です。解析予定を変更しますか？」等のメッセージを表示部１６に表示させる。
【０１２７】
ここで、当日の被測定者の体調や予定によって解析予定日を変更することを選択した場合には、ステップＳ３８へ進む。一方、解析予定日の変更を選択せず、予定通りの解析を実施することを選択する場合には、ステップＳ３９へ進む。
【０１２８】
次に、ステップＳ３８では、解析予定日の変更、あるいは解析の予定を取り消しする。
次に、ステップＳ３９では、解析予定日を変更した場合に、制御部１１が、「解析当日は規則正しい生活をしてください」とのメッセージを表示部１６に表示させ、処理を終了する。
【０１２９】
＜早朝時高血糖の原因判定のための測定＞
続いて、本実施形態の血糖値測定装置１０は、図７に示すフローチャートに従って、早朝時高血糖の原因を判定するために、３回の測定を実施する。
【０１３０】
すなわち、図７に示すように、ステップＳ４１では、制御部１１のリマインダ管理部１１ａが、時計１４から取得した時刻情報と記憶部１８に保存された予定日時とを参照して、予約した時刻になった場合には、「○○時になりました。測定を開始してください。」とのメッセージを表示部１６に表示させる。
【０１３１】
具体的には、リマインダ管理部１１ａによって表示部１６に表示されるメッセージとして、図８（ｃ）に示すように、リマインダ画面１６ｋにおいて、１回目の測定時に、「就寝前の測定時間です。血糖値測定を行ってください。」とのメッセージを表示すればよい。
【０１３２】
また、２回目の測定時には、「就寝中の測定時間です。血糖値測定を行ってください。」、３回目の測定時には、「起床時の測定時間です。血糖値測定を行ってください。」とのメッセージをそれぞれ表示すればよい。
【０１３３】
なお、１回目（就寝前）、２回目（就寝中）および３回目（起床時）における測定は、例えば、図８（ｃ）に示すリマインダ画面１６ｋが表示される前に実施されてもよい。
この場合には、予約入力画面から入力された就寝前（第２時刻）、就寝中（第１時刻）、および起床時（第３時刻）のそれぞれの時刻の±１時間の範囲内で実施された測定は、各時刻における測定とみなすものとする。
【０１３４】
例えば、入力された就寝前（第２時刻）、就寝中（第１時刻）、および起床時（第３時刻）の予約時刻が、それぞれ２２時、３時、７時であった場合には、２１時〜２３時、２時〜４時、６時〜８時の間に実施された測定結果は、第２時刻、第１時刻、第３時刻に実施されたものとして、以降の処理を行う。
【０１３５】
なお、就寝前（第２時刻）、就寝中（第１時刻）、および起床時（第３時刻）の予約時刻のリマインダが行われる前に測定が実施された場合には、リマインド発生時刻（例えば、各予約時刻の３０分前）まではその測定結果を表示・使用するとともに、その測定結果を各時刻における測定結果として使用することを通知してもよい。
【０１３６】
次に、ステップＳ４２では、早朝時高血糖の原因を解析するための測定を実施する。
本実施形態の血糖値測定装置１０では、２回目（就寝中）の測定を実施する際には、就寝中の被測定者（測定者）を一時的に起こすために、制御部１１が、図示しないスピーカ（出力部）からアラーム音を出力するように報知部１９を制御する。さらに、制御部１１は、就寝中の測定を実施しやすいように、表示部１６の表示画面を点灯あるいは点滅させる。
【０１３７】
なお、就寝中における測定を実施する際には、被測定者を確実に起こすために、アラーム音の出力がＭＡＸに設定されていることが好ましい。
これにより、被測定者（測定者）は、アラーム音と表示画面の点灯等によって、就寝中に一時的に起きて、暗い部屋の中でも早朝時高血糖の解析測定を実施することができる。
【０１３８】
なお、就寝中の測定が実施されない場合には、再度、５分後にリマンダのために、アラーム音と表示画面の点灯とを実施する。これらの処理は、就寝中の測定が実施されるまで複数回繰り返される。
【０１３９】
さらに、就寝中の測定を実施した後、制御部１１は、図８（ｄ）に示す再就寝促進画面１６ｌにおいて、被測定者の再就寝を促すメッセージを表示部１６に表示させる。
具体的には、再就寝促進画面１６ｌでは、図８（ｄ）に示すように、「早朝まで睡眠が必要ですので、出来るだけ早くお休みください。」とのメッセージを表示する。
【０１４０】
また、再就寝促進画面１６ｌの表示とは別に、上記メッセージを音声として出力してもよい。
これにより、被測定者の再就寝を促して、３回目（起床時）の測定が正常に実施されるようにすることができる。
【０１４１】
なお、ステップＳ４２において、就寝中（第１時刻）における血糖値の測定結果が、適正範囲よりも低い場合には、低血糖に対する対処が必要になる。
このため、就寝中（第１時刻）の測定結果が適正範囲よりも低い場合には、測定者（被測定者）に対して、低血糖に対する対処を促すメッセージを表示部１６の表示画面に表示させる、あるいは対処を促す音声メッセージを出力する等の対応を採ってもよい。
【０１４２】
また、この場合には、低血糖に対する対処ことを優先するため、その後（起床時）の早朝時高血糖の原因判定のための測定は中止するものとする。
次に、ステップＳ４３では、ステップＳ４２において実施された測定の結果が解析可能であるか否かを判定する。
【０１４３】
例えば、就寝前（第２時刻）における測定が解析可能であるか否かの条件は、被測定者の夕食後２時間以上経過していること、測定結果が適正範囲内であることが含まれる。
これにより、就寝前の測定が、夕食の影響を受ける可能性を排除して正確な血糖値の測定を実施することができる。
【０１４４】
また、就寝前の測定結果が適正範囲外である場合には、早朝時高血糖の原因の解析が困難になるため、その後の解析用の測定を中止させる。
ここで、就寝前の測定結果の適正範囲としては、例えば、７０ｍｇ／ｄｌ〜２００ｍｇ／ｄｌに設定されていればよい。
【０１４５】
なお、就寝中（第１時刻）および起床時（第３時刻）の測定結果の適正範囲としては、例えば、７０ｍｇ／ｄｌ〜１２６ｍｇ／ｄｌに設定されていればよい。
次に、ステップＳ４４では、解析不可であるか否かを判定する。
【０１４６】
ここで、解析不可と判定された場合には、ステップＳ５０へ進む。一方、解析不可ではない、つまり解析可能と判定された場合には、ステップＳ４５へ進む。
次に、ステップＳ４５では、解析可能と判定された測定結果を、解析ＩＤを付加して記憶部１８に保存させる。
【０１４７】
なお、制御部１１は、就寝前（第２時刻）、就寝中（第１時刻）、および起床時（第３時刻）の３回の測定結果を、３つの測定結果を互いに関連付けして、時計１４から取得した各測定の時刻情報とともに、記憶部１８に保存させる。
【０１４８】
また、測定結果に付与される解析ＩＤは、１回目の測定結果であれば、解析ＩＤ００１、１００回目の測定結果であれば、解析ＩＤ１００を付加する。
このように、測定結果に対して解析ＩＤを付加したことで、過去の測定結果のデータを容易に取り出して確認することができる。さらに、解析ＩＤによって振り分けすることができるため、過去の解析結果、およびその傾向を重ねて表示することができる。
【０１４９】
次に、ステップＳ４６では、保存された測定結果が、早朝（起床時）の測定であったか否かを判定する。
ここで、早朝の測定であった場合には、ステップＳ４８へ進む。一方、早朝の測定ではなかった場合には、ステップＳ４７へ進む。
【０１５０】
次に、ステップＳ４７では、記憶部１８に保存された測定結果が早朝の測定ではない、つまり就寝前の測定、あるいは就寝中の測定であることから、「次の測定は○○時になります。」とのメッセージを表示部１６に表示させて、その回の解析測定処理を終了する。
【０１５１】
次に、ステップＳ４８では、記憶部１８に保存された測定結果が早朝の測定であったため、「全ての測定が完了しました。お疲れ様でした。」とのメッセージを表示部１６に表示させて、解析測定処理を終了する。
【０１５２】
次に、ステップＳ５０では、解析不可と判定された測定結果が得られたため、図８（ｅ）に示す新規予約促進画面１６ｍにおいて、その後の解析用の測定は無意味になることと、新たな解析予定日を予約するように促すメッセージとを、表示部１６に表示させる。
【０１５３】
具体的には、図８（ｅ）に示す新規予約促進画面１６ｍでは、「就寝前の測定値が解析可能範囲外です。本日の解析ができません。新規予約しますか？」とのメッセージを表示する。
【０１５４】
なお、就寝前（第２時刻）、就寝中（第１時刻）および起床時（第３時刻）の３回の測定結果が全て揃わない場合には、早朝時高血糖の正確な原因の解析を実施することはできない。このため、就寝前（第２時刻）および就寝中（第１時刻）に測定結果が不適切なデータであったり、測定自体が実施されなかったりした場合には、その後の測定は中止される。
【０１５５】
＜早朝時高血糖の原因の判定＞
続いて、本実施形態の血糖値測定装置１０は、図９に示すフローチャートに従って、早朝時高血糖の原因を具体的に判定する。
【０１５６】
すなわち、図９に示すように、ステップＳ５１では、３回目（起床時）の測定結果が適正範囲よりも高く、かつ就寝前の測定結果が適正範囲内であるか否かを判定する。
ここで、上記２つの条件を満たす場合には、ステップＳ５２へ進む。一方、上記２つの条件のいずれか１つでも満たさない場合には、ステップＳ６１へ進み、原因の判別不能とする。
【０１５７】
次に、ステップＳ５２では、上記２つの条件を満たしていることを確認後、就寝前（第２時刻）における測定結果と、就寝中（第１時刻）における測定結果とを比較する。
そして、両者が略同等の測定結果であった場合には、ステップＳ５３へ進み、暁現象が原因と判定する。一方、略同等の測定結果ではなかった場合には、暁現象以外の原因であると判断し、ステップＳ５５へ進む。
【０１５８】
ここで、最初に、就寝前（第２時刻）と就寝中（第１時刻）とを比較するのは、上述した早朝時高血糖の原因として挙げられたインスリン不足、暁現象、ソモギー効果の各原因に応じて、差が生じるためである。
【０１５９】
具体的には、就寝前（第２時刻）の測定結果と就寝中（第１時刻）の測定結果とが略同等であった場合には、図３に示すグラフから判断して、暁現象が原因である可能性が高いと考えられる。
【０１６０】
次に、就寝前（第２時刻）の測定結果が、就寝中（第１時刻）の測定結果よりも大きい場合には、図３に示すグラフから判断して、ソモギー効果が原因である可能性が高いと考えられる。
【０１６１】
ただし、就寝前（第２時刻）と就寝中（第１時刻）とを比較しただけではインスリン不足を原因とする可能性が高いとまで判定することは難しい。よって、以下のステップＳ５８に示すように、インスリン不足が原因と判定する際には、就寝中（第１時刻）と起床時（第３時刻）とを比較して、判定を行うものとする。
【０１６２】
次に、ステップＳ５３では、早朝時高血糖の原因が暁現象であると判定し、ステップＳ５４へ進む。
次に、ステップＳ５４では、暁現象が原因と判定されたため、暁現象を原因とする早朝時高血糖に対する対処を促すメッセージを、表示部１６に表示させる。
【０１６３】
具体的には、表示部１６の表示画面には、「あなたの早朝時高血糖の原因は暁現象による可能性が高いようです。このデータを基に、医師と早めに相談をお勧めします。」とのメッセージが表示される。
【０１６４】
これにより、被測定者に、暁現象を原因とする早朝時高血糖の状態であることの注意喚起を行うとともに、被測定者に早朝時高血糖の状態になった原因を考えさせ（認識させ）医師の診断を仰ぐように促すことができる。
【０１６５】
次に、ステップＳ５５では、ステップＳ５２の条件に該当しないことを確認後、就寝前（第２時刻）における測定結果と、就寝中（第１時刻）における測定結果とを比較する。
そして、就寝前（第２時刻）の測定結果が就寝中（第１時刻）の測定結果よりも大きい場合には、ステップＳ５６へ進み、ソモギー効果が原因と判定する。一方、就寝前（第２時刻）の測定結果が就寝中（第１時刻）の測定結果よりも小さい場合には、暁現象およびソモギー効果以外の原因であると判断し、ステップＳ５８へ進む。
【０１６６】
次に、ステップＳ５７では、ソモギー効果が原因と判定されたため、ソモギー効果を原因とする早朝時高血糖に対する対処を促すメッセージを、表示部１６に表示させる。
具体的には、表示部１６の表示画面には、「あなたの早朝時高血糖の原因はソモギー効果による可能性が高いようです。このデータを基に、医師と早めに相談をお勧めします。」とのメッセージが表示される。
【０１６７】
これにより、被測定者に、ソモギー効果を原因とする早朝時高血糖の状態であることの注意喚起を行うとともに、被測定者に早朝時高血糖の状態になった原因を考えさせ（認識させ）医師の診断を仰ぐように促すことができる。
【０１６８】
次に、ステップＳ５８では、ステップＳ５２およびステップＳ５５の条件に該当しないことを確認後、就寝中（第１時刻）における測定結果と、起床時（第３時刻）における測定結果とを比較する。
【０１６９】
そして、就寝中（第１時刻）の測定結果が起床時（第３時刻）の測定結果よりも小さい場合には、ステップＳ５９へ進み、インスリン不足が原因と判定する。一方、就寝中（第１時刻）の測定結果が起床時（第３時刻）の測定結果よりも大きい場合には、暁現象、ソモギー効果およびインスリン不足以外の原因であると判断し、ステップＳ６１へ進む。
【０１７０】
次に、ステップＳ６０では、インスリン不足が原因と判定されたため、インスリン不足を原因とする早朝時高血糖に対する対処を促すメッセージを、表示部１６に表示させる。
具体的には、表示部１６の表示画面には、「あなたの早朝時高血糖の原因はインスリン不足による可能性が高いようです。医師と相談の上、就寝前のインスリン量の調節をお勧めします。」とのメッセージが表示される。
【０１７１】
これにより、被測定者に、インスリン不足を原因とする早朝時高血糖の状態であることの注意喚起を行うとともに、被測定者に早朝時高血糖の状態になった原因を考えさせ（認識させ）医師と相談の上、就寝前に投与するインスリンの量について調節するように促すことができる。
【０１７２】
次に、ステップＳ６１では、ステップＳ５２、ステップＳ５５およびステップＳ５８における判定の結果、いずれにも該当しなかったため、早朝時高血糖の原因の判別が不能と判定する。
【０１７３】
次に、ステップＳ６２では、表示部１６の表示画面に、「あなたの早朝時高血糖の原因は不明です。再度、診断をやり直すか、医師と相談することをお勧めします。」とのメッセージが表示される。
【０１７４】
＜早朝時高血糖の原因判定の結果の傾向分析＞
続いて、本実施形態の血糖値測定装置１０では、図１０（ａ）〜図１０（ｆ）に示すように、表示部１６の表示画面に、判定結果の傾向分析を表示する。
【０１７５】
すなわち、制御部１１は、図１０（ａ）に示すメニュー画面１６ｎにおいて、「測定結果」、「解析結果」、「設定」という３つの選択肢を表示部１６の表示画面に表示させる。
【０１７６】
ここで、「解析結果」が選択された場合には、図１０（ｂ）に示す解析結果確認画面１６ｏにおいて、「個別」、「全体」という２つの選択肢を表示部１６の表示画面に表示させる。
【０１７７】
ここで、「個別」が選択された場合には、例えば、図１０（ｃ）に示す解析結果表示画面１６ｐにおいて、就寝前、就寝中、起床時の３回１セット分の測定の結果とその原因の判定結果（暁現象）が表示される。
【０１７８】
具体的には、図１０（ｃ）の解析結果表示画面１６ｐでは、就寝前（第２時刻）および就寝中（第１時刻）における測定結果は略同じ値（適正範囲内）であって、起床時（第３時刻）における測定結果が高血糖（適正範囲外）になったことを示すグラフが表示されている。よって、この結果を踏まえて、グラフの下段には、「暁現象の可能性があります」とのメッセージが表示される。
【０１７９】
また、図１０（ｂ）に示す解析結果確認画面１６ｏにおいて、「個別」が選択された場合には、別の表示画面として、図１０（ｄ）に示す解析結果表示画面１６ｑにおいて、就寝前、就寝中、起床時の３回の複数セットの測定の結果とその原因の判定結果（暁現象）等を表示してもよい。
【０１８０】
具体的には、図１０（ｄ）の解析結果表示画面１６ｑでは、就寝前（第２時刻）および就寝中（第１時刻）における測定結果は略同じ値（適正範囲内）であって、起床時（第３時刻）における測定結果が高血糖（適正範囲外）になったことを示すグラフ（△）と、暁現象の一般的な測定結果を示すグラフとが表示されている。そして、この判定結果を踏まえて、グラフの下段には、「暁現象の可能性が高いです。医師との相談をお勧めします」とのメッセージが表示される。
【０１８１】
そして、図１０（ｂ）に示す解析結果確認画面１６ｏにおいて、解析結果確認画面１６ｏの「全体」」が選択された場合には、図１０（ｅ）に示す解析傾向表示画面１６ｒにおいて、各原因別の判定回数の全体数が一目で分かるように示す棒グラフとその傾向を示すメッセージ「ソモギー効果の傾向が多く見られます」とが表示される。
【０１８２】
具体的には、図１０（ｅ）の解析傾向表示画面１６ｒでは、暁現象と判定された回数が１回、ソモギー効果と判定された回数が５回あったことを示す棒グラフが表示される。
また、別の解析結果を示す場合には、図１０（ｆ）に示す解析傾向表示画面１６ｓにおいて、日付け別の各原因の判定状況とその傾向を示すメッセージ「ソモギー効果の傾向が多く続いています」とが表示される。
【０１８３】
具体的には、図１０（ｆ）の解析傾向表示画面１６ｓでは、最近５回分の解析結果の判定において、３回連続してソモギー効果と判定され、１回おいて、再びソモギー効果と判定されたことを示すグラフが表示される。これにより、解析結果を時系列で表示することで、その傾向の変化を認識させることができる。
【０１８４】
＜記憶部１８に保存される各種データ＞
本実施形態の血糖値測定装置１０では、上述したように、就寝前、就寝中、起床時の測定結果のデータ３つを１セットとし互いに関連付けした状態で、測定が実施された時刻情報とともに、ＥＥＰＲＯＭ等の記憶部１８に保存させる。
【０１８５】
このとき、記憶部１８の容量には限りがあるため、できるだけ不要なデータを保存しないようにするために、何らかの原因によって就寝前、就寝中、起床時の測定結果のデータ３つが揃わない場合には、そのセットのデータは解析不能となるため保存しない。
【０１８６】
また、記憶部１８に保存されたデータが容量に達した場合には、各測定データに付加された時刻情報に基づいて古いデータから順に、新しいデータが上書き保存される。
なお、比較に使用したい古いデータが新しいデータによって上書きされて消去されないようにするために、新たなデータの上書きが発生するタイミングで、比較したい関連データを記憶部１８内の別領域にコピーしてもよい。あるいは、比較したい関連データについては、最初から特定領域に保存されていてもよい。
このように、記憶部１８の特定領域に解析データを保存することで、過去の解析データのうち比較したい関連データを容易に確認することができる。
【０１８７】
（実施形態２）
本発明の他の実施形態に係る血糖値測定システム５０について、図１１から図１３を用いて説明すれば以下の通りである。
【０１８８】
（血糖値測定システム５０）
本実施形態に係る血糖値測定システム５０は、図１１に示すように、血糖値測定装置１１０と、スマートフォン等の携帯端末３０と、を備えている。そして、血糖値測定装置１１０は、通信部２０（図１２参照）を介して、携帯端末３０側の通信部３３（図１３参照）と通信を行う。
【０１８９】
なお、血糖値測定装置１１０は、測定結果解析部１１ｂ、および原因分析判定部１１ｃを備えておらず、通信部２０を備えている点において、上記実施形態１で説明した血糖値測定装置１０の構成とは異なっている。ただし、その他の構成については同様の構成であることから、それらの構成については同じ符号を付し、その詳細な説明は省略する。
【０１９０】
本実施形態の血糖値測定システム５０を構成する血糖値測定装置１１０側の通信部２０と携帯端末３０側の通信部３３との間における通信は、例えば、ＢＬＥ（Bluetooth（登録商標） Low Energy）、ＮＦＣ（Near Field Communication）等の無線を介して行われる。
【０１９１】
（血糖値測定装置１１０）
血糖値測定装置１１０は、図１２に示すように、制御部（第１制御部）１１１、センサ装着部１２、測定部１３、時計１４、コマンド入力部１５、表示部（第１表示部）１６、電池１７、記憶部（第１記憶部）１８、報知部１９および通信部（第１通信部）２０を備えている。
【０１９２】
制御部１１１は、図１２に示すように、機能ブロックとして、リマインダ管理部１１ａを有している。
通信部２０は、制御部１１１に接続されており、例えば、上述したＢＬＥ等の無線通信手段等を用いて、携帯端末３０に対して、血糖値の測定結果等のデータを送信する。
【０１９３】
本実施形態の血糖値測定システム５０では、上記実施形態１で説明した解析ＩＤが付与されていないデータについても、解析ＩＤの有無に関係なく、通信部２０を介して、携帯端末３０へ送信する。
【０１９４】
また、血糖値測定装置１１０から携帯端末３０への測定結果等のデータの送信は、血糖値測定装置１１０における測定のたびに実施されてもよい。ただし、血糖値測定装置１１０と携帯端末３０との間において通信不能な状態である場合には、次回、通信可能な状態になった際に、まとめてデータを送信すればよい。
【０１９５】
なお、表示部１６は、上記実施形態１と同様に、ドットマトリクス方式の表示装置であってもよいが、携帯端末３０と通信可能な血糖値測定システム５０では、表示機能を簡素化してセグメント方式の表示装置であってもよい。
【０１９６】
（携帯端末３０）
携帯端末３０は、例えば、スマートフォンやタブレット端末等であって、血糖値測定装置１０との間において通信を行い、血糖値の測定結果等のデータを受信する。そして、携帯端末３０は、図１３に示すように、制御部（第２制御部）３１、時計３２、通信部（第２通信部）３３、コマンド入力部３４、表示部（第２表示部）３５、電池３６、記憶部（第２記憶部）３７、および報知部（第２報知部）３８を備えている。
【０１９７】
制御部３１は、図１３に示すように、時計３２、通信部３３、コマンド入力部３４、表示部（第２表示部）３５、電池３６、記憶部（第２記憶部）３７、および報知部（第２報知部）３８と接続されている。そして、制御部３１は、記憶部３７に保存された各種情報（データ）を読み込んで、血糖値測定装置１１０側の測定部１３から通信部２０を介して受信した血糖値のデータを用いて各種処理を実行する。
【０１９８】
また、制御部３１は、ＣＰＵが記憶部３７に保存された情報（データ）を読み込んで、図１３に示す機能ブロック（リマインダ管理部３１ａ、測定結果解析部３１ｂ、原因分析判定部３１ｃ）を内部に形成する。
【０１９９】
リマインダ管理部３１ａは、上述した実施形態１と同様に、表示部３５の表示画面に表示された解析日時予約入力画面１６ｇ（図５（ｅ）参照）を介して入力された早朝時高血糖の原因解析を行う３つの時刻（就寝前（第２時刻）、就寝中（第１時刻）、起床時（第３時刻））の所定時間前に、解析用の血糖値の測定を実施するように、表示部３５にリマインダを表示させる。
【０２００】
なお、本実施形態の血糖値測定システム５０では、血糖値測定システム５０を構成する血糖値測定装置１１０と携帯端末３０の双方に、リマインダ管理部１１ａ，３１ａが設けられている。よって、本実施形態では、原則として、血糖値測定装置１１０および携帯端末３０の双方において、リマインダ処理を実行するものとする。
【０２０１】
ただし、測定者の設定によって、いずれか一方でのみリマインダ処理を実行するように選択してもよい。この場合には、携帯端末３０側でのみリマインダ処理が実行されるように設定されることが好ましい。
【０２０２】
また、双方においてリマインダ処理を実行する場合には、時間差を設けて、それぞれリマインダ処理を実行するように設定されていてもよい。
例えば、最初のリマインダでは、携帯端末３０のみでリマインダ処理が実行され、１０分以内に、携帯端末３０が測定結果を受信しない場合には、血糖値測定装置１１０側でもリマインダ処理を実行するように設定されていてもよい。
【０２０３】
また、リマインダ処理は、実行後、所定時間経過までに血糖値の測定が実行されない場合には、再度、リマインダ処理を繰り返し実行してもよい。これにより、特に、就寝中（第１時刻）における測定時において、測定者が二度寝してしまうことによる測定未実施を回避することができる。
【０２０４】
時計３２は、制御部３１に接続されており、現在時刻、血糖値測定装置１１０側から血糖値の測定結果を受信した日時、解析日時予約入力画面１６ｇに入力された解析用の測定が予約された日時等の時刻情報を、制御部３１に送信する。
【０２０５】
通信部３３は、制御部３１に接続されており、例えば、上述したＢＬＥ等の無線通信手段等を用いて、血糖値測定装置１１０から送信されてくる血糖値の測定結果等のデータを送信する。
【０２０６】
コマンド入力部３４は、制御部３１に接続されており、表示部３５のタッチパネル等を用いて、測定結果に基づく解析の予約、解析の実施等の各種コマンドが入力される。
表示部３５は、図１３に示すように、制御部３１に接続されており、血糖値測定装置１１０から送信されてくる測定部１３における測定結果、測定結果に基づく解析結果、現在時刻、解析日時予約入力画面１６ｇ（図５（ｅ）参照）等を表示させる。
【０２０７】
なお、本実施形態の表示部３５では、上述した実施形態１で説明した図５（ａ）〜図５（ｆ）、図８（ａ）〜図８（ｅ）および図１０（ａ）〜図１０（ｆ）に示す画面がそれぞれ表示されるものとする。
【０２０８】
本実施形態では、携帯端末３０側の表示部３５が、例えば、直接入力、あるいはインターネット等を通じて各種情報を取得可能である場合には、以下に示すような情報を測定結果、解析結果等に付加して表示部３５に表示してもよい。
【０２０９】
例えば、就寝前（第２時刻）における測定結果に付加して、その日の食事に関する情報、投与されたインスリンの量に関する情報を表示部３５に表示させてもよい。また、被測定者のその日の食事、運動量、年齢等に関する情報を、表示部３５に表示させてもよい。さらには、起床時（第３時刻）における測定時に、被測定者のアルコールの摂取に関する情報を、表示部３５に表示させてもよい。
【０２１０】
これにより、携帯端末３０側の表示部３５に、これらの複合的な情報を表示させることで、その分析を行うことができる。
具体的には、インスリン不足に起因する早朝時高血糖であるのか、あるいはインスリンの投与量が多い場合にはソモギー効果による早朝時高血糖であるのか、を分析することができる。
【０２１１】
さらに、スマートフォン等の携帯端末３０にインストールされた睡眠アプリ等と連携して、被測定者の睡眠時間に関する情報を、表示部３５に表示させてもよい。
また、携帯端末３０側の表示部３５には、測定結果に基づく解析の方法、早朝時高血糖の原因の判定結果に応じた適切な対処方法、相談すべき医師への連絡先等の情報を表示させてもよい。
【０２１２】
電池３６は、制御部３１に接続されており、時計３２、通信部３３、表示部３５、報知部３８等を駆動させる電源であって、例えば、充電式の二次電池等が使用される。
記憶部３７は、制御部３１に接続されており、血糖値測定装置１１０側の測定部１３において測定された血糖値のデータ、測定時の時刻情報、測定結果に基づく解析結果等の情報、各種情報（データ）を保存する。
【０２１３】
なお、記憶部１８としては、ＥＥＰＲＯＭ（Electrically Erasable Programmable Read-Only Memory）等の不揮発性メモリを用いることができる。
本実施形態の血糖値測定システム５０では、血糖値測定装置１１０側の記憶部１８と、携帯端末３０側の記憶部３７とで、それぞれ血糖値の測定結果等の各種データを保存する。
【０２１４】
これにより、少なくとも、血糖値測定装置１１０と携帯端末３０との間における通信が可能な状態になるまでは、血糖値測定装置１１０側で血糖値の測定結果等を保存することができる。
【０２１５】
なお、血糖値測定装置１１０と携帯端末３０との間における通信が可能となって、測定結果等のデータを送信した後、送信済みのデータ等を記憶部１８から削除してもよい。
また、スマートフォン等の携帯端末３０側には、通常、血糖値測定装置１１０と比較して充分な容量の記憶部３７が設けられているため、測定結果に基づく解析結果等のデータを、専用の保存エリア等を設けて保存する必要はない。
【０２１６】
さらに、血糖値測定装置１１０と比較して充分な容量の記憶部３７に大量のデータが保存された場合でも、上述した解析ＩＤを付与した状態で各種データを保存することで、容易に必要なデータを検索して、記憶部３７から取り出すことができる。
【０２１７】
報知部３８は、制御部３１に接続されており、解析日時予約入力画面１６ｇを介して入力された就寝前、就寝中、および起床時の時刻（第１〜第３時刻）になると、アラーム音（報知音）および／または振動を発生させる。
【０２１８】
これにより、血糖値測定装置１１０とスマートフォン等の携帯端末３０の双方に報知部１９，３８をそれぞれ設けていることで、測定者は、例えば、上述した３回の測定時（就寝前、就寝中、起床時）において、両方からアラーム音、振動が発生するように設定することができる。なお、測定者は、血糖値測定装置１１０とスマートフォン等の携帯端末３０のいずれか一方からアラーム音や振動が発生するように設定してもよい。
【０２１９】
本実施形態の血糖値測定システム５０は、図１２に示すように、制御部１１において早朝時高血糖の測定結果の解析および原因解析等を行わず、リマインダ管理部１１ａにおいてリマインド管理のみを行う単純な構成の血糖値測定装置１１０を備えている。そして、早朝時高血糖の測定結果の解析および原因解析は、図１３に示す携帯端末３０側の制御部３１において実施する。
【０２２０】
さらに、本実施形態の血糖値測定システム５０では、血糖値測定装置１１０の測定部１３において測定された血糖値のデータを、通信部２０を介して携帯端末３０側の通信部３３へ送信する。
【０２２１】
そして、携帯端末３０は、通信部３３を介して、血糖値測定装置１１０から血糖値のデータを受信し、その結果に基づいて、リマインダ管理部３１ａ、測定結果解析部３１ｂ、原因分析判定部３１ｃが各処理を実施する。
【０２２２】
これにより、血糖値測定装置１１０から送信された血糖値の測定データを受信した携帯端末３０側において、早朝時高血糖の測定結果の解析およびその原因解析を実施することで、上記実施形態１と同様の効果を得ることができる。
【０２２３】
さらに、本実施形態の血糖値測定システム５０では、１台の血糖値測定装置１１０から複数の携帯端末３０に対して血糖値の測定データ等を送信することで、被測定者の血糖値の測定状況等を、家族間等で共有することができる。
【０２２４】
［他の実施形態］
以上、本発明の一実施形態について説明したが、本発明は上記実施形態に限定されるものではなく、発明の要旨を逸脱しない範囲で種々の変更が可能である。
【０２２５】
（Ａ）
上記実施形態では、血糖値測定装置１１０に、通信部２０を設けた代わりに、早朝時高血糖の測定結果を解析する測定結果解析部１１ｂ、早朝時高血糖の原因分析を行う原因分析判定部３１ｃを構成から削除するとともに、削除した構成を携帯端末３０側に設けた血糖値測定システム５０を例として挙げて説明した。しかし、本発明はこれに限定されるものではない。
【０２２６】
例えば、図１４に示すように、図２に示す測定結果解析部１１ｂおよび原因分析判定部１１ｃが制御部１１内に設けられた血糖値測定装置２１０と、図１３に示す携帯端末３０と、を備えた血糖値測定システムであってもよい。
【０２２７】
すなわち、本血糖値測定システムは、血糖値測定装置２１０側と携帯端末３０側との双方において、早朝時高血糖の測定結果の解析および原因解析を実施する。
換言すれば、本血糖値測定システムでは、例えば、測定者の設定によって、測定結果の解析および原因解析を血糖値測定装置２１０、携帯端末３０の両方あるいはいずれか一方で実施するかを選択するようにしてもよい。
【０２２８】
（Ｂ）
上記実施形態では、予約入力画面を介して入力された被測定者の就寝前（第２時刻）、就寝中（第１時刻）、および起床時（第３時刻）の３回の血糖値の測定結果を用いて、早朝時高血糖の原因の解析・判定を行う例を挙げて説明した。しかし、本発明はこれに限定されるものではない。
【０２２９】
例えば、上記３回の測定のうち、少なくとも就寝中（第１時刻）の１回の測定を実施するように予約入力画面が表示されていればよい。
ただし、就寝中（第１時刻）の測定結果と、就寝前（第２時刻）および／または起床時（第３時刻）における測定結果とを組み合わせて解析・判定を実施することで、より正確に早朝時高血糖の原因を判定して、被測定者に適切な対処を促すことができる。
【０２３０】
（Ｃ）
上記実施形態では、図５（ｅ）に示す解析日時予約入力画面１６ｇにおいて、就寝中（第１時刻）の表示を、太字で強調して表示させる例を挙げて説明した。しかし、本発明はこれに限定されるものではない。
例えば、就寝中（第１時刻）の強調表示の方法として、赤色等の目立つ色で表示する、点滅表示する、太線枠で囲う等、他の方法を採用してもよい。
【０２３１】
（Ｄ）
上記実施形態では、血糖値の測定結果のデータ等を保存する記憶部１８を、血糖値測定装置１０，１１０，２１０内に設けた構成を例として挙げて説明した。しかし、本発明はこれに限定されるものではない。
例えば、血糖値の測定結果等のデータを保存する記憶手段として、外部サーバやクラウド等を用いてもよい。
【０２３２】
（Ｅ）
上記実施形態では、血糖値測定システム５０において、血糖値測定装置１１０と通信を行う外部機器として、スマートフォン等の携帯端末を用いた例を挙げて説明した。しかし、本発明はこれに限定されるものではない。
例えば、タブレット端末や、ＰＣ（Personal Computer）、データを保存するサーバ装置等を、外部機器として用いてもよい。
【０２３３】
＜付記＞
第２０の発明に係る血糖値測定システムは、
本体ケースと、本体ケースに設けられており血糖値測定用のセンサが装着されるセンサ装着部と、センサ装着部に接続されておりセンサに付与された血液を用いて血糖値の測定を行う測定部と、測定部に接続されており測定部において測定された血糖値を表示させる第１表示部と、を有する血糖値測定装置と、
第１通信部との間で通信を行う第２通信部と、第２通信部を介して受信した測定結果に関連する情報を表示する第２表示部と、測定部に接続されており被測定者の起床時に測定部において測定された血糖値が適正範囲よりも高い場合、就寝中における血糖値の測定を実施する予定日および第１時刻の予約を行う予約入力画面を第２表示部に表示させる第２制御部と、を有する外部機器と、
を備えている。
【０２３４】
第２１の発明に係る血糖値測定システムは、
第１９の発明に係る生体情報測定装置と、
第１通信部との間で通信を行う第２通信部と、第２通信部を介して受信した測定結果に関連する情報を表示する第２表示部と、を有する外部機器と、
を備えている。
【０２３５】
第２２の発明に係る血糖値測定システムは、第２０または第２１の発明に係る血糖値測定システムであって、
生体情報測定装置から受信した測定部における起床時の測定結果が適正範囲よりも高かった場合、就寝中における生体試料の測定を実施する予定日および第１時刻の予約を行う予約入力画面を、第２表示部に表示させる第２制御部を、さらに備えている。
【０２３６】
第２３の発明に係る血糖値測定システムは、第２２の発明に係る血糖値測定システムであって、
第２制御部は、予約入力画面において入力された予定日の第１時刻の所定時間前に、測定を実施するリマインダを第２表示部に表示させる。
【０２３７】
第２４の発明に係る血糖値測定システムは、第２２または第２３の発明に係る血糖値測定システムであって、
第２制御部は、第１時刻と、就寝前の第２時刻と、起床時の第３時刻とを入力するための予約入力画面を、第２表示部に表示させる。
【０２３８】
第２５の発明に係る血糖値測定システムは、第２４の発明に係る血糖値測定システムであって、
第１時刻は、第２時刻と第３時刻の間の時間に設定される。
【０２３９】
第２６の発明に係る血糖値測定システムは、第２４または第２５の発明に係る血糖値測定システムであって、
第２制御部は、第１時刻、第２時刻、第３時刻を表示する予約入力画面において、第１時刻の入力箇所を強調するように、第２表示部に表示させる。
【０２４０】
第２７の発明に係る血糖値測定システムは、第２０または第２１の発明に係る血糖値測定システムであって、
予約入力画面において入力された日時に実施された測定結果に基づいて、測定結果の解析を行うとともに、解析の結果に基づいて、起床時に測定部において測定された血糖値が適正範囲よりも高かった原因を判定する第２判定部を、さらに備えている。
【０２４１】
第２８の発明に係る血糖値測定システムは、第２７の発明に係る血糖値測定システムであって、
第２制御部は、特定の被測定者に対する第２判定部による判定結果の情報を蓄積し、判定結果の傾向を第２表示部に表示させる。
【０２４２】
第２９の発明に係る血糖値測定システムは、第２２から第２６の発明のいずれか１つに係る血糖値測定システムであって、
第２制御部は、被測定者が食事から第２時刻までに２時間を経過していること、および予約入力画面に入力された日時に測定された血糖値が所定の範囲内であること、の少なくとも１つを満たさない場合には、別の予定日の予約を促すために、予約入力画面を第２表示部に表示させる。
【０２４３】
第３０の発明に係る血糖値測定システムは、第２２から第２６の発明のいずれか１つに係る血糖値測定システムであって、
第２制御部は、起床時に測定された血糖値が適正範囲よりも高かった場合、前回、適正範囲よりも高かった日から基準期間が経過しているか否かを判定する。
【０２４４】
第３１の発明に係る血糖値測定システムは、第２２から第２６の発明のいずれか１つに係る血糖値測定システムであって、
第２制御部は、予約入力画面において入力された予定日において、予約した予定日であることを示す情報を、第２表示部に表示させる。
【０２４５】
第３２の発明に係る血糖値測定システムは、第２２から第２６の発明のいずれか１つに係る血糖値測定システムであって、
第２制御部は、第１時刻になると、第２表示部の表示画面を点灯または点滅させる。
【０２４６】
第３３の発明に係る血糖値測定システムは、第２０から第３２の発明のいずれか１つに係る血糖値測定システムであって、
第１時刻になると報知音および振動の少なくとも一方を発生させる第２報知部を、さらに備えている。
【０２４７】
第３４の発明に係る血糖値測定システムは、第２２から第２６の発明のいずれか１つに係る血糖値測定システムであって、
第２制御部は、第１時刻における測定が終了すると、被測定者の就寝を促す文字情報を第２表示部に表示させる。
【０２４８】
第３５の発明に係る血糖値測定システムは、第２２から第２６の発明のいずれか１つに係る血糖値測定システムであって、
音声情報を出力する第２出力部を、さらに備えており、
第２制御部は、第１時刻における測定が終了すると、被測定者の就寝を促す音声情報を第２出力部から出力させる。
【０２４９】
第３６の発明に係る血糖値測定システムは、第２２から第２６の発明のいずれか１つに係る血糖値測定システムであって、
第２制御部は、第１時刻に測定された血糖値が適正範囲よりも低かった場合には、測定者に低血糖に対する対処行動を促す。
【０２５０】
第３７の発明に係る血糖値測定システムは、第３７の発明に係る血糖値測定システムであって、
第２制御部は、第１時刻に測定された血糖値が適正範囲よりも低かった場合には、その後の測定を実施しない。
【０２５１】
第３８の発明に係る血糖値測定システムは、第２２から第２６の発明のいずれか１つに係る血糖値測定システムであって、
第２制御部は、第１時刻における測定が実施されなかった場合には、その後の測定を実施しない。
【０２５２】
第３９の発明に係る血糖値測定システムは、第２０から第３８の発明のいずれか１つに係る血糖値測定システムであって、
測定部における測定結果を保存する第２記憶部を、さらに備えている。
【０２５３】
第４０の発明に係る血糖値測定システムは、第３９の発明に係る血糖値測定システムであって、
第２記憶部は、第１時刻と、就寝前の第２時刻と、起床時の第３時刻とにおけるそれぞれの測定結果を関連付けて保存する。
【０２５４】
第４１の発明に係る血糖値測定方法は、
測定部と第１表示部とを備えた血糖値測定装置においてコンピュータによって実行される血糖値測定方法であって、
血糖値測定装置に装着された血糖値測定センサを用いて、測定部において血糖値の測定を行う測定ステップと、
測定ステップにおける測定結果を第１表示部に表示させる表示ステップと、
測定ステップにおいて、被測定者の起床時に測定された血糖値が所定の適正範囲よりも高い場合、就寝中における血糖値の測定を実施する予定日および第１時刻の予約を行う予約入力画面を、第１表示部に表示させる予約入力表示ステップと、
を備えている。
【産業上の利用可能性】
【０２５５】
本発明の血糖値測定装置は、早朝時における高血糖の原因を正確に解析することができるという効果を奏することから、病院等の施設や自宅等において使用される血糖値測定装置として広く活用が期待される。
【符号の説明】
【０２５６】
１      血糖値測定用センサ（センサ）
１０      血糖値測定装置
１０ａ    本体ケース
１０ｂ    入力ボタン
１１      制御部（第１制御部）
１１ａ    リマインダ管理部
１１ｂ    測定結果解析部
１１ｃ    原因分析判定部（第１判定部）
１２      センサ装着部
１３      測定部
１４      時計
１５      コマンド入力部
１６      表示部（第１表示部）
１６ａ    測定結果表示エリア
１６ｂ    測定日時表示エリア
１６ｃ    予約入力画面
１６ｄ    入力ボタン
１６ｅ    解析実施確認画面
１６ｆ    解析実施説明画面
１６ｇ    解析日時予約入力画面
１６ｈ    解析日時予約完了画面
１６ｉ    解析実施確認画面
１６ｊ    注意喚起画面
１６ｋ    リマインダ画面
１６ｌ    再就寝促進画面
１６ｍ    新規予約促進画面
１６ｎ    メニュー画面
１６ｏ    解析結果確認画面
１６ｐ    解析結果表示画面
１６ｑ    解析結果表示画面
１６ｒ    解析傾向表示画面
１６ｓ    解析傾向表示画面
１７      電池
１８      記憶部（第１記憶部）
１９      報知部（第１報知部、第１出力部）
２０      通信部（第１通信部）
３０      携帯端末
３１      制御部（第２制御部）
３１ａ    リマインダ管理部
３１ｂ    測定結果解析部
３１ｃ    原因分析判定部（第２判定部）
３２      時計
３３      通信部（第２通信部）
３４      コマンド入力部
３５      表示部（第２表示部）
３６      電池
３７      記憶部（第２記憶部）
３８      報知部（第２報知部、第２出力部）
５０      血糖値測定システム
１１０    血糖値測定装置
１１１    制御部
２１０    血糖値測定装置
【図１】
2018141731.tif 000003
【図２】
2018141731.tif 000004
【図３】
2018141731.tif 000005
【図４】
2018141731.tif 000006
【図５】
2018141731.tif 000007
【図６】
2018141731.tif 000008
【図７】
2018141731.tif 000009
【図８】
2018141731.tif 000010
【図９】
2018141731.tif 000011
【図１０】
2018141731.tif 000012
【図１１】
2018141731.tif 000013
【図１２】
2018141731.tif 000014
【図１３】
2018141731.tif 000015
【図１４】
2018141731.tif 000016